(57)【要約】【課題】    利便性の向上が図れるタイマ装置を提供する。【解決手段】タイマ装置は、８つのタイマ４１Ａ〜４１Ｈと、８つのタイマ４１Ａ〜４１Ｈの動作状態に関する状態情報を表示可能とする状態情報表示部３２を含んで構成される表示手段３と、各タイマ時間を設定入力させる設定入力手段２と、設定入力された各タイマ時間に関する各タイマ時間情報を、８つのタイマ４１Ａ〜４１Ｈのうち対応するタイマに関連付けて記憶するメモリ４６と、記憶された各タイマ時間情報に基づく各タイマ時間を、８つのタイマ４１Ａ〜４１Ｈのうち対応する各タイマに順次連続して計測させる計測制御手段４３と、計測時間情報を計測時間表示部３１に表示させるとともに、計測を実施しているタイマ、および計測を実施していないタイマを判別可能に状態情報表示部３２に状態情報を表示させる表示制御手段４４とを備える。【選択図】 図２
2005326279.tif 000002
【特許請求の範囲】
【請求項１】
設定されたタイマ時間を計測し、計測時の計測時間に関する計測時間情報を表示するタイマ装置であって、
前記タイマ時間を計測する複数の計測手段と、
前記計測手段による前記計測時間情報を表示可能とする計測時間表示部、および前記計測手段の動作状態に関する状態情報を表示可能とする状態情報表示部を含んで構成される表示手段と、
前記複数の計測手段にて計測させる各タイマ時間を設定入力させる設定入力手段と、
前記設定入力手段に設定入力された前記各タイマ時間に関する各タイマ時間情報を、前記複数の計測手段のうち対応する計測手段に関連付けて記憶する記憶手段と、
前記複数の計測手段を駆動制御し、前記記憶手段に記憶された各タイマ時間情報に基づく前記各タイマ時間を、前記複数の計測手段のうち対応する各計測手段に順次連続して計測させる計測制御手段と、
前記表示手段を駆動制御し、前記計測手段による前記計測時間情報を前記計測時間表示部に表示させるとともに、前記計測を実施している計測手段、および前記計測を実施していない計測手段を判別可能に、前記状態情報表示部に前記状態情報を表示させる表示制御手段とを備えていることを特徴とするタイマ装置。
【請求項２】
請求項１に記載のタイマ装置において、
前記状態情報表示部は、前記計測手段に前記タイマ時間を計測させる予定に関する計測予定情報を表示可能とし、
前記表示制御手段は、前記記憶手段に記憶された各タイマ時間情報に基づいて前記複数の計測手段のうち前記タイマ時間を計測させる計測手段を認識し、前記タイマ時間を計測させる計測手段を判別可能に、前記状態情報表示部に前記計測予定情報を表示させることを特徴とするタイマ装置。
【請求項３】
請求項２に記載のタイマ装置において、
前記状態情報表示部は、前記複数の計測手段に対応して設けられ前記複数の計測手段の駆動順序に応じて整列配置された複数の表示部を有し、前記複数の表示部に前記状態情報および前記計測予定情報をそれぞれ表示可能とし、
前記表示制御手段は、前記計測を実施している計測手段に対応する表示部に前記状態情報を表示させるとともに、前記記憶手段に記憶された各タイマ時間情報に基づいて前記複数の計測手段のうち前記タイマ時間を計測させる計測手段を認識し、前記タイマ時間を計測させる計測手段に対応する表示部に前記計測予定情報を表示させることを特徴とするタイマ装置。
【請求項４】
請求項３に記載のタイマ装置において、
前記記憶手段は、前記設定入力手段に設定入力された前記タイマ時間が０時間の場合には前記タイマ時間に関するタイマ時間情報を前記複数の計測手段のうち対応する計測手段に関連付けて記憶せずに、前記設定入力手段に設定入力された前記タイマ時間が０時間を除く所定時間の場合に前記タイマ時間に関するタイマ時間情報を前記計測手段に関連付けて記憶することを特徴とするタイマ装置。
【請求項５】
請求項３または請求項４に記載のタイマ装置において、
前記状態情報表示部は、前記複数の計測手段の数と同一の数の前記表示部を有していることを特徴とするタイマ装置。
【請求項６】
請求項３から請求項５のいずれかに記載のタイマ装置において、
前記複数の表示部は、環状に整列配置されていることを特徴とするタイマ装置。
【請求項７】
請求項３から請求項６のいずれかに記載のタイマ装置において、
前記状態情報および前記計測予定情報は、前記複数の計測手段の駆動順序に応じた番号で構成されていることを特徴とするタイマ装置。
【請求項８】
請求項１から請求項７のいずれかに記載のタイマ装置において、
前記設定入力手段は、回動可能に構成され、回動位置に応じた前記タイマ時間を設定入力可能に構成されるロータリースイッチを含んで構成されていることを特徴とするタイマ装置。
【請求項９】
請求項１ないし請求項８のいずれかに記載のタイマ装置において、
前記表示手段は、前記各タイマ時間を各計測手段に順次連続して計測させるサイクルを繰り返すリピート回数を表示可能とするリピート回数表示部を備え、
前記設定入力手段は、前記リピート回数を設定入力可能に構成され、
前記記憶手段は、前記設定入力手段に設定入力された前記リピート回数に関するリピート回数情報を記憶し、
前記表示制御手段は、前記記憶手段に記憶されたリピート回数情報に基づいて、前記リピート回数を前記リピート回数表示部に表示させ、
前記計測制御手段は、前記記憶手段に記憶されたリピート回数情報に基づいて、前記サイクルを前記リピート回数だけ繰り返すリピート制御を実施することを特徴とするタイマ装置。
【請求項１０】
請求項９に記載のタイマ装置において、
前記表示制御手段は、前記計測制御手段により前記リピート制御が開始されると、前記サイクルが終了する毎に、前記リピート回数表示部に表示させる前記リピート回数を減少させる制御を実施することを特徴とするタイマ装置。
【請求項１１】
請求項９に記載のタイマ装置において、
前記表示制御手段は、前記計測制御手段により前記リピート制御が開始されると、前記サイクルが終了する毎に、終了した前記サイクルの回数を前記リピート回数表示部に表示させる制御を実施することを特徴とするタイマ装置。
【発明の詳細な説明】
【技術分野】
【０００１】
本発明は、設定されたタイマ時間を計測し、計測時の計測時間に関する計測時間情報を表示するタイマ装置に関する。
【背景技術】
【０００２】
従来、タイマ装置としては、好みのタイマ時間をロータリースイッチにて選択できるセレクト＆セット方式のものが知られている（例えば、特許文献１参照）。
そして、特許文献１に記載のロータリースイッチ付タイマ装置は、ロータリースイッチを回すことで容易にタイマ時間を設定できる。そしてまた、設定されたタイマ時間はデジタルで正確に表示される。このため、タイマ装置としては非常に使いやすいものである。
【０００３】
【特許文献１】特開平５−６４３１３号公報
【発明の開示】
【発明が解決しようとする課題】
【０００４】
特許文献１に記載のロータリースイッチ付タイマ装置は、設定できるタイマ時間が１つのみである。このため、このロータリースイッチ付タイマ装置を用いて、例えば、複数のタイマ時間を連続して計測する場合には、利用者は以下に示す手順で実施する。なお、複数のタイマ時間を連続して計測する状況は、例えば、試験勉強において各科目のテストを連続して実施する場合、あるいは運動時において種々のトレーニングを連続して実施する場合等が挙げられる。
先ず、ロータリースイッチを回すことで第１のタイマ時間を設定し、該第１のタイマ時間を計測させる。この第１のタイマ時間を計測させている際に、利用者は、上述した１番目の科目のテスト、あるいは、上述した１番目のトレーニング等を実施する。
そして、第１のタイマ時間を計測した後、再度、ロータリースイッチを回すことで第２のタイマ時間を設定し、該第２のタイマ時間を計測させる。この第２のタイマ時間を計測させている際に、利用者は、上述した２番目の科目のテスト、あるいは、上述した２番目のトレーニング等を実施する。
以上のように、特許文献１に記載のロータリースイッチ付タイマ装置を用いて、複数のタイマ時間を連続して計測する場合には、上述したようなタイマ時間の設定およびタイマ時間の計測を利用者に繰り返し実施させなければならず、タイマ装置の利便性の向上が図れない。
【０００５】
本発明の目的は、利便性の向上が図れるタイマ装置を提供することにある。
【課題を解決するための手段】
【０００６】
本発明のタイマ装置は、設定されたタイマ時間を計測し、計測時の計測時間に関する計測時間情報を表示するタイマ装置であって、前記タイマ時間を計測する複数の計測手段と、前記計測手段による前記計測時間情報を表示可能とする計測時間表示部、および前記計測手段の動作状態に関する状態情報を表示可能とする状態情報表示部を含んで構成される表示手段と、前記複数の計測手段にて計測させる各タイマ時間を設定入力させる設定入力手段と、前記設定入力手段に設定入力された前記各タイマ時間に関する各タイマ時間情報を、前記複数の計測手段のうち対応する計測手段に関連付けて記憶する記憶手段と、前記複数の計測手段を駆動制御し、前記記憶手段に記憶された各タイマ時間情報に基づく前記各タイマ時間を、前記複数の計測手段のうち対応する各計測手段に順次連続して計測させる計測制御手段と、前記表示手段を駆動制御し、前記計測手段による前記計測時間情報を前記計測時間表示部に表示させるとともに、前記計測を実施している計測手段、および前記計測を実施していない計測手段を判別可能に、前記状態情報表示部に前記状態情報を表示させる表示制御手段とを備えていることを特徴とする。
【０００７】
ここで、計測時間情報としては、計測時の計測時間(COUNT UP)の他、設定されたタイマ時間から計測時の計測時間を減算した残時間(COUNT DOWN)等を採用できる。
また、状態情報表示部に表示される状態情報としては、計測手段の動作状態を示す情報であればいずれの情報でもよい。例えば、複数の計測手段に対応した番号、記号、所定のマーク等を表示させる構成を採用してもよい。また、例えば、複数の計測手段に応じて複数の表示部を設けておき、計測手段の動作状態を示すように複数の表示部に複数の計測手段に対応した番号、記号、所定のマーク等を適宜、表示させる構成を採用してもよい。
本発明では、利用者により設定入力手段に各タイマ時間が設定入力されると、記憶手段は、設定入力された各タイマ時間に関する各タイマ時間情報を複数の計測手段のうち対応する計測手段に関連付けて記憶する。そして、計測制御手段は、複数の計測手段を駆動制御する際、記憶手段に記憶された各タイマ時間情報に基づく各タイマ時間を順次読み出し、複数の計測手段のうち対応する各計測手段に順次連続して計測させる。また、表示制御手段は、表示手段を駆動制御する際、計測時間表示部に計測時間情報を表示させるとともに、計測を実施している計測手段、および計測を実施していない計測手段を判別可能に状態情報表示部に状態情報を表示させる。
このことにより、予め複数のタイマ時間を設定しておくことができるとともに、設定した複数のタイマ時間を順次連続して計測させることができる。このため、従来のように、タイマ時間の設定およびタイマ時間の計測を繰り返し実施する煩雑な作業を利用者に実施させることがなく、タイマ装置の利便性の向上が図れる。
また、表示された状態情報に基づいて、計測を実施している計測手段、および計測を実施していない計測手段を利用者に認識させることができる。このため、予め設定した複数のタイマ時間のうち、現時点でどのタイマ時間が計測されているのかを利用者に認識させることが可能となる。
【０００８】
本発明のタイマ装置では、前記状態情報表示部は、前記計測手段に前記タイマ時間を計測させる予定に関する計測予定情報を表示可能とし、前記表示制御手段は、前記記憶手段に記憶された各タイマ時間情報に基づいて前記複数の計測手段のうち前記タイマ時間を計測させる計測手段を認識し、前記タイマ時間を計測させる計測手段を判別可能に、前記状態情報表示部に前記計測予定情報を表示させることが好ましい。
ここで、状態情報表示部に表示される計測予定情報としては、計測手段にタイマ時間を計測させる予定を示す情報であればいずれの情報でもよい。例えば、上述した状態情報と同様に、複数の計測手段に対応した番号、記号、所定のマーク等を表示させる構成を採用してもよい。また、例えば、複数の計測手段に応じて複数の表示部を設けておき、計測手段にタイマ時間を計測させる予定を示すように複数の表示部に複数の計測手段に対応した番号、記号、所定のマーク等を適宜、表示させる構成を採用してもよい。
本発明では、表示制御手段は、表示手段を駆動制御する際、記憶手段に記憶された各タイマ時間情報に基づいて複数の計測手段のうちタイマ時間を計測させる計測手段を認識する。そして、タイマ時間を計測させる計測手段を判別可能に、状態情報表示部に計測予定情報を表示させる。このことにより、表示された計測予定情報から、計測させるタイマ時間の予定数を利用者に認識させることが可能となる。また、状態情報および計測予定情報の双方を表示することで、予め設定した複数のタイマ時間のうち、現時点でどのタイマ時間が計測されているのかを利用者に容易に認識させることが可能となる。
【０００９】
本発明のタイマ装置では、前記状態情報表示部は、前記複数の計測手段に対応して設けられ前記複数の計測手段の駆動順序に応じて整列配置された複数の表示部を有し、前記複数の表示部に前記状態情報および前記計測予定情報をそれぞれ表示可能とし、前記表示制御手段は、前記計測を実施している計測手段に対応する表示部に前記状態情報を表示させるとともに、前記記憶手段に記憶された各タイマ時間情報に基づいて前記複数の計測手段のうち前記タイマ時間を計測させる計測手段を認識し、前記タイマ時間を計測させる計測手段に対応する表示部に前記計測予定情報を表示させることが好ましい。
本発明では、状態情報表示部は、複数の計測手段に対応して設けられ複数の計測手段の駆動順序に応じて整列配置された複数の表示部を有する。そして、表示制御手段は、計測を実施している計測手段に対応する表示部に状態情報を表示させ、計測を予定する計測手段に対応する表示部に計測予定情報を表示させる。このことにより、計測予定情報が表示された表示部の数に基づいて、計測させるタイマ時間の予定数を利用者に確実に認識させることができる。また、計測予定情報が表示された各表示部の中での状態情報が表示された表示部の位置に基づいて、計測を予定する複数のタイマ時間のうち、現時点でどのタイマ時間が計測されているのかを利用者にさらに容易に認識させることができる。
【００１０】
本発明のタイマ装置では、前記記憶手段は、前記設定入力手段に設定入力された前記タイマ時間が０時間の場合には前記タイマ時間に関するタイマ時間情報を前記複数の計測手段のうち対応する計測手段に関連付けて記憶せずに、前記設定入力手段に設定入力された前記タイマ時間が０時間を除く所定時間の場合に前記タイマ時間に関するタイマ時間情報を前記計測手段に関連付けて記憶することが好ましい。
ここで、０時間とは、０分０秒に相当する。
本発明では、記憶手段は、所定の計測手段に計測させるタイマ時間として０時間が設定入力された場合にはタイマ時間に関するタイマ時間情報を記憶せずに、０時間を除く所定時間が設定入力された場合に上記計測手段に関連付けてタイマ時間に関するタイマ時間情報を記憶する。すなわち、タイマ時間として０時間の設定ができない構成となっている。このため、表示制御手段が記憶手段に記憶されたタイマ時間情報に基づいて状態情報表示部を駆動制御すると、計測予定情報は、整列配置された複数の表示部のうち隣接する各表示部に連続してそれぞれ表示されることとなる。したがって、タイマ時間として０時間の設定を可能とし、計測予定情報が複数の表示部のうち隣接しない各表示部にそれぞれ表示される構成と比較して、計測予定情報が表示された複数の表示部の連続する長さ等から、計測させるタイマ時間の予定数を利用者に一目で容易に認識させることができる。また、計測予定情報が表示された各表示部の中での状態情報が表示された表示部の位置に基づいて、計測を予定する複数のタイマ時間のうち、現時点でどのタイマ時間が計測されているのかを利用者にさらに一層容易に認識させることができる。
【００１１】
本発明のタイマ装置では、前記状態情報表示部は、前記複数の計測手段の数と同一の数の前記表示部を有していることが好ましい。
本発明では、表示部の数と計測手段の数とが同一であり、複数の表示部が複数の計測手段の駆動順序に応じて整列配置されているので、計測手段と表示部とが１対１で対応することとなる。このため、表示部に表示される状態情報および計測予定情報を利用者に確認させることで、計測を予定する複数のタイマ時間の数、および、計測を予定する複数のタイマ時間のうち、現時点でどのタイマ時間が計測されているのかを利用者に一目で容易に認識させることができる。
【００１２】
本発明のタイマ装置では、前記複数の表示部は、環状に整列配置されていることが好ましい。
本発明によれば、複数の表示部が複数の計測手段の駆動順序に応じて環状に整列配置されているので、最初に計測させる計測手段に対応する表示部と、最後に計測させる計測手段に対応する表示部とが繋がるように配置されることとなる。このため、例えば、各タイマ時間を各計測手段に順次連続して計測させるサイクルを繰り返すリピート制御を実施する場合には、表示部に表示される状態情報および計測予定情報を利用者に確認させることで、サイクルの開始時点および終了時点を利用者に明確に認識させることができる。
【００１３】
本発明のタイマ装置では、前記状態情報および前記計測予定情報は、前記複数の計測手段の駆動順序に応じた番号で構成されていることが好ましい。
本発明では、状態情報および計測予定情報が複数の計測手段の駆動順序に応じた番号で構成されているので、現時点で計測を実施している計測手段に対応する表示部には、該計測手段に応じた番号が表示される。また、設定された各タイマ時間を計測させる各計測手段に対応する各表示部には、該各計測手段に応じた各番号が表示される。このため、計測させるタイマ時間の予定数、および現時点で計測しているタイマ時間が何番目のタイマ時間であるのかを利用者に一目で認識させやすい構成となる。
【００１４】
本発明のタイマ装置では、前記設定入力手段は、回動可能に構成され、回動位置に応じた前記タイマ時間を設定入力可能に構成されるロータリースイッチを含んで構成されていることが好ましい。
本発明では、設定入力手段は、ロータリースイッチを含んで構成され、ロータリースイッチを所定の位置に回動することで、タイマ時間を所定時間に設定入力することができる。このため、タイマ時間を直接入力する構成、ボタンを押下する回数でタイマ時間を入力する構成等に比較して、タイマ時間の設定入力作業を容易に実施でき、タイマ装置の利便性の向上がさらに図れる。
【００１５】
本発明のタイマ装置では、前記表示手段は、前記各タイマ時間を各計測手段に順次連続して計測させるサイクルを繰り返すリピート回数を表示可能とするリピート回数表示部を備え、前記設定入力手段は、前記リピート回数を設定入力可能に構成され、前記記憶手段は、前記設定入力手段に設定入力された前記リピート回数に関するリピート回数情報を記憶し、前記表示制御手段は、前記記憶手段に記憶されたリピート回数情報に基づいて、前記リピート回数を前記リピート回数表示部に表示させ、前記計測制御手段は、前記記憶手段に記憶されたリピート回数情報に基づいて、前記サイクルを前記リピート回数だけ繰り返すリピート制御を実施することが好ましい。
本発明では、利用者により設定入力手段にリピート回数が設定入力されると、記憶手段は、設定入力されたリピート回数に関するリピート回数情報を記憶する。そして、表示制御手段は、表示手段のリピート回数表示部を駆動制御する際、記憶手段に記憶されたリピート回数情報に基づくリピート回数を読み出し、該リピート回数をリピート回数表示部に表示させる。また、計測制御手段は、複数の計測手段を駆動制御する際、記憶手段に記憶された各タイマ時間情報に基づいて該各タイマ時間情報に対応する各計測手段に順次連続して計測させるとともに、記憶手段に記憶されたリピート回数情報を読み出し、各計測手段に順次連続して計測させるサイクルをリピート回数だけ繰り返すリピート制御を実施する。
このことにより、複数のタイマ時間の連続した計測を繰り返すリピート回数を予め設定しておくことができるので、設定した複数のタイマ時間の連続した計測を繰り返し実施させる場合に、再度、利用者に対して設定入力手段に設定入力させる作業を実施させることがなく、タイマ装置の利便性の向上が図れる。また、リピート回数の設定およびリピート制御により、利用者の要求に応じたより多くのタイマ時間を連続して計測させることができる。
また、リピート回数表示部にリピート回数が表示されるので、リピート制御が実施される旨を利用者に認識させることができる。また、設定したリピート回数の表示により、誤ってリピート回数を設定入力した際でも、利用者にリピート回数の再入力を促すことが可能な構成となる。
【００１６】
本発明のタイマ装置では、前記表示制御手段は、前記計測制御手段により前記リピート制御が開始されると、前記サイクルが終了する毎に、前記リピート回数表示部に表示させる前記リピート回数を減少させる制御を実施することが好ましい。
本発明によれば、リピート回数表示部に表示されるリピート回数が、サイクルが終了する毎に減少していくので、設定されたリピート回数のうち、サイクルを実施させる残りのリピート回数を利用者に認識させることができる。
【００１７】
本発明のタイマ装置では、前記表示制御手段は、前記計測制御手段により前記リピート制御が開始されると、前記サイクルが終了する毎に、終了した前記サイクルの回数を前記リピート回数表示部に表示させる制御を実施することが好ましい。
本発明によれば、リピート回数表示部には、サイクルが終了する毎に終了したサイクルの回数が表示されるので、設定されたリピート回数のうち、現時点で何回目のサイクルが実施されているかを利用者に認識させることができる。
【発明の効果】
【００１８】
上述のように、本発明のタイマ装置によれば、予め複数のタイマ時間を設定しておくことができるとともに、設定した複数のタイマ時間を順次連続して計測させることができ、利便性の向上が図れる。
【発明を実施するための最良の形態】
【００１９】
[第１実施形態]
以下、本発明の第１実施形態を図面に基づいて説明する。
〔タイマ装置の構成〕
図１は、本発明に係るタイマ装置を正面から見た図である。図１において、１は、タイマ装置であり、利用者がタイマ装置１を操作する際の設定入力手段２、および利用者がタイマ装置１により計測時間等を認識するための表示手段３を詳細に示している。
タイマ装置１は、図１に示すように、平面視略円形状に形成され、利用者が片手で把持可能なサイズで構成されている。そして、このタイマ装置１は、利用者により設定入力されたタイマ時間を計測し、計測時の計測時間等を表示する。このタイマ装置１は、図１に示すように、設定入力手段２と、表示手段３と、ここでは図示しない制御装置４および報知手段５とを含んで構成される。
【００２０】
設定入力手段２は、利用者にタイマ時間等を設定入力させ、利用者による操作を認識して制御装置４に操作信号を出力する。この設定入力手段２は、図１に示すように、START・STOPボタン２１と、SPLIT・RESETボタン２２と、ロータリースイッチ２３と、COUNT UP DOWNボタン２４とを備える。
START・STOPボタン２１は、図１に示すように、タイマ装置１の側端部に位置し、後述するシングルタイマモードおよびマルチタイマモード時でのタイマ時間の計測の開始、および計測の中止を実施させるとともに、後述するストップウォッチモード時での計測の開始、および計測の中止を実施させるための入力ボタンである。
なお、このSTART・STOPボタン２１は、詳細な説明は後述するが、マルチタイマモード時でのタイマ時間等を設定入力するための入力ボタンとしての機能も有する。
【００２１】
SPLIT・RESETボタン２２は、図１に示すように、START・STOPボタン２１と同様に、タイマ装置１の側端部に位置し、後述するストップウォッチモード時でのSPLITタイムの計測を実施させるとともに、計測時間の初期化を実施させるための入力ボタンである。
なお、このSPLIT・RESETボタン２２は、詳細な説明は後述するが、上述したSTART・STOPボタン２１と同様に、マルチタイマモード時でのタイマ時間等を設定入力するための入力ボタンとしての機能も有する。
【００２２】
ロータリースイッチ２３は、図１に示すように、タイマ装置１の正面部分に位置し、回動可能に構成され、利用者による回動操作の実施により各種モードの切り替えを実施させるための回転スイッチである。各種モードとしては、電源オフモード、シングルタイマモード、マルチタイマモード、およびストップウォッチモードがある。電源OFFモードは、電源をOFFしてタイマ装置１の機能を停止するモードである。シングルタイマモードは、制御装置４の後述する計測手段のうち１つのみのタイマを用いて、設定された単一のタイマ時間を計測させるモードである。マルチタイマモードは、前記計測手段のうち複数のタイマを用いて、設定入力された複数のタイマ時間を順次連続して計測させるモードである。ストップウォッチモードは、経過時間を計測させるモードである。
そして、ロータリースイッチ２３の回動位置２３Ａに応じて、シングルタイマモード時におけるタイマ時間が設定されるとともに、マルチタイマモード時における複数のタイマ時間の設定入力が可能となる。
なお、ロータリースイッチ２３における各種モードの切り替え操作については後述する。
【００２３】
COUNT UP DOWNボタン２４は、タイマ時間を計測させる際に、時間の経過に応じて計測した時間を表示手段３に表示させるか（以下、COUNT UP状態と呼称する）、あるいは、時間の経過に応じて設定されたタイマ時間を減らすように表示手段３に表示させるか（以下、COUNT DOWN状態と呼称する）を選択させる入力ボタンである。
なお、このCOUNT UP DOWNボタン２４は、詳細な説明は後述するが、上述したSTART・STOPボタン２１およびSPLIT・RESETボタン２２と同様に、マルチタイマモード時でのタイマ時間等を設定入力するための入力ボタンとしての機能も有する。
また、このCOUNT UP DOWNボタン２４は、報知手段５の後述するブザーおよび振動モータのいずれかを選択させる入力ボタンとしての機能も有する。
【００２４】
表示手段３は、図１に示すように、タイマ装置１の正面部分に位置し、制御装置４による制御の下、利用者により設定入力された情報、および、制御装置４の後述する計測手段による計測時の計測時間等を表示する。本実施形態では、表示手段３は、液晶ディスプレイで構成されている。この表示手段３は、図１に示すように、計測時間表示部３１と、状態情報表示部３２と、リピート回数表示部３３とを備える。
計測時間表示部３１は、主に制御装置４の後述する計測手段による計測時間情報、または、利用者により設定入力されるタイマ時間等を表示する。具体的には、図１に示すように、分桁を表示する第１表示部３１Ａ、秒桁を表示する第２表示部３１Ｂ、および秒に満たない桁を表示する第３表示部３１Ｃを有し、これら表示部３１Ａ〜３１Ｃにそれぞれ計測時間情報およびタイマ時間に応じた所定の値が表示される。また、第１表示部３１Ａおよび第２表示部３１Ｂは、点滅可能に構成されている。
なお、計測時間情報としては、計測時の計測時間(COUNT UP)の他、計測させるタイマ時間から計測時の計測時間を減算した残時間(COUNT DOWN)も含まれる情報である。
【００２５】
また、この計測時間表示部３１は、上述した表示部３１Ａ〜３１Ｃの他、図１に示すように、COUNT UP DOWN状態表示部３１Ｄ、計測状態表示部３１Ｅ、オーバータイム状態表示部３１Ｆ、タイマ時間設定状態表示部３１Ｇ、報知手段状態表示部３１Ｈ、および電池状態表示部３１Ｉを有する。
COUNT UP DOWN状態表示部３１Ｄは、図１に示すように、１つの頂点が上方に向く正三角形状のマークで構成されるCOUNT UP状態表示部３１Ｄ１と、１つの頂点が下方に向く正三角形状のマークで構成されるCOUNT DOWN状態表示部３１Ｄ２とを有し、それぞれ点灯可能に構成されている。そして、上述したCOUNT UP DOWNボタン２４によりCOUNT UP状態が選択された場合にCOUNT UP状態表示部３１Ｄ１が点灯する。また、COUNT DOWN状態が選択された場合にCOUNT DOWN状態表示部３１Ｄ２が点灯する。
【００２６】
計測状態表示部３１Ｅは、図１に示すように、「STOP」の文字列で構成されるSTOP状態表示部３１Ｅ１と、「SPLIT」の文字列で構成されるSPLIT状態表示部３１Ｅ２とを有し、それぞれ点灯可能に構成されている。そして、上述したSTART・STOPボタン２１により計測が中止された場合にSTOP状態表示部３１Ｅ１が点灯する。また、上述したSPLIT・RESETボタン２２によりSPLITタイムが計測された場合にSPLIT状態表示部３１Ｅ２が点灯する。
オーバータイム状態表示部３１Ｆは、図１に示すように、「OT」の文字列で構成され、点灯可能に構成されている。そして、このオーバータイム状態表示部３１Ｆは、計測時の計測時間が計測させるタイマ時間を越えた場合に点灯する。
【００２７】
タイマ時間設定状態表示部３１Ｇは、図１に示すように、「SET」の文字列で構成され、点灯可能に構成されている。そして、このタイマ時間設定状態表示部３１Ｇは、上述したロータリースイッチ２３の回動操作によりマルチタイマモードに切り替えられかつ、タイマ時間を設定入力可能な状態となった場合に点灯する。
報知手段状態表示部３１Ｈは、図１に示すように、鈴形状のマークで構成されるブザー選択状態表示部３１Ｈ１と、２つの波線が並列する形状のマークで構成される振動モータ選択状態表示部３１Ｈ２とを有し、点灯および点滅可能に構成されている。そして、上述したCOUNT UP DOWNボタン２４により報知手段５の後述するブザーが選択された場合にブザー選択状態表示部３１Ｈ１が点灯する。また、後述する振動モータが選択された場合に振動モータ選択状態表示部３１Ｈ２が点灯する。さらに、前記ブザーまたは前記振動モータの選択時にブザー選択状態表示部３１Ｈ１または振動モータ選択状態表示部３１Ｈ２が点滅する。そして、前記ブザーおよび前記振動モータの双方が選択されていない状態では、ブザー選択状態表示部３１Ｈ１および振動モータ選択状態表示部３１Ｈ２の双方は非点灯となる。
電池状態表示部３１Ｉは、図１に示すように、電池形状のマークで構成され、点灯および点滅可能に構成されている。そして、この電池状態表示部３１Ｉは、タイマ装置１内に具備され、タイマ装置１の各構成部材に電力を供給する図示しない電池の電力残量が十分である場合に点灯する。また、電力残量が少なくなった場合に点滅する。
【００２８】
状態情報表示部３２は、図１に示すように、リピート回数表示部３３を囲むように円環状に形成され、制御装置４の後述する計測手段における８つのタイマの駆動順序に対応した番号がそれぞれ付与されたマークで構成される８つの表示部３２Ａ〜３２Ｈを有し、それぞれ点灯および点滅可能に構成されている。そして、マルチタイマモード時において、上述した設定入力手段２の操作により複数のタイマ時間が設定入力された場合に、８つの表示部３２Ａ〜３２Ｈのうち、複数のタイマ時間をそれぞれ計測させる前記各タイマに対応する各表示部が点灯する。また、マルチタイマモード時において、上述したSTART・STOPボタン２１の操作により、タイマ時間の計測が開始された場合に、８つの表示部３２Ａ〜３２Ｈのうち、タイマ時間の計測を実施している前記タイマに対応する表示部が点滅する。
すなわち、本発明に係る状態情報および計測予定情報は、８つの表示部３２Ａ〜３２Ｈにおける８つのタイマの駆動順序に対応した番号が付与されたマークに相当する。
リピート回数表示部３３は、上述した設定入力手段２の操作により、設定入力されたリピート回数（マルチタイマモード時において、複数のタイマ時間を順次連続して計測させるサイクルを繰り返す回数）を表示する。
なお、表示手段３の詳細な表示動作については、タイマ装置１の制御動作を説明する際に同時に説明する。
【００２９】
〔タイマ装置の制御構造〕
次に、タイマ装置１の制御構造について説明する。
図２は、タイマ装置１の制御構造を模式的に示すブロック図である。
制御装置４は、ＣＰＵ（Central Processing Unit）等で構成され、設定入力手段２から出力される操作信号を入力し、入力した操作信号に基づいてメモリ４６に記憶された所定の制御プログラムを実行する。この制御装置４は、図２に示すように、計測手段４１と、入力制御手段４２と、計測制御手段４３と、表示制御手段４４と、報知制御手段４５と、記憶手段としてのメモリ４６とを備える。
メモリ４６は、シングルタイマモード時での計測させる各タイマ時間、各種モードに応じた制御プログラム等を予め記憶する。また、メモリ４６は、入力制御手段４２による制御の下、設定入力手段２に設定入力された各種情報を記憶する。
例えば、各種情報としては、マルチタイマモード時での設定入力手段２に設定入力された各タイマ時間に関するタイマ時間情報、リピート回数に関するリピート回数情報、COUNT UP状態およびCOUNT DOWN状態のいずれが選択されたかを示す選択情報、ブザー５１および振動モータ５２の選択状態を示す選択情報等がある。
そして、メモリ４６は、これら情報のうち、タイマ時間情報を記憶する際には、設定入力手段２に設定入力された各タイマ時間に関する各タイマ時間情報を計測手段４１の後述する８つのタイマ４１Ａ〜４１Ｈに関連付けて記憶する。
【００３０】
計測手段４１は、計測制御手段４３による制御の下、例えば図示しないクロック発生回路から出力されるクロック信号に応じて時間を計測する。この計測手段４１は、図２に示すように、計測制御手段４３により制御される８つのタイマ４１Ａ〜４１Ｈを備える。これらタイマ４１Ａ〜４１Ｈは、複数のタイマ時間を計測する際、計測制御手段４３によりタイマ４１Ａ〜４１Ｈの順に駆動制御される。そして、これらタイマ４１Ａ〜４１Ｈは、計測した時間に応じた信号を、計測制御手段４３、表示制御手段４４、および報知制御手段４５に出力する。
入力制御手段４２は、ロータリースイッチ２３から回動位置２３Ａに応じた操作信号を入力し、入力した操作信号に応じて各種モードを切り替える。そして、入力制御手段４２は、各種モードを切り替えた旨の信号を計測制御手段４３、表示制御手段４４、および報知制御手段４５に出力する。また、START・STOPボタン２１、SPLIT・RESETボタン２２、およびCOUNT UP DOWNボタン２４からの操作信号を、切り替えた各種モードに応じた信号に変換し、変換した信号を計測制御手段４３、表示制御手段４４、報知制御手段４５、およびメモリ４６に出力する。
【００３１】
計測制御手段４３は、入力制御手段４２から出力される信号、メモリ４６に記憶された各種情報および制御プログラム、ならびに、タイマ４１Ａ〜４１Ｈから出力される信号に基づいて、計測手段４１を駆動制御する。
表示制御手段４４は、入力制御手段４２から出力される信号、メモリ４６に記憶された各種情報および制御プログラム、ならびに、タイマ４１Ａ〜４１Ｈから出力される信号に基づいて、表示手段３を駆動制御する。
報知制御手段４５は、入力制御手段４２から出力される信号、メモリ４６に記憶された各種情報および制御プログラム、ならびに、タイマ４１Ａ〜４１Ｈから出力される信号に基づいて、報知手段５を駆動制御する。
なお、制御装置４による詳細な制御動作については、後述する。
【００３２】
報知手段５は、報知制御手段４５による制御の下、シングルタイマモード時において計測時の計測時間が設定されたタイマ時間を越えた旨、または、マルチタイマモード時において計測時の計測時間が設定された少なくとも１つのタイマ時間の合計時間を越えた旨を利用者に対して音または振動にて報知する。この報知手段５は、図２に示すように、ブザー５１および振動モータ５２で構成される。なお、ブザー５１および振動モータ５２の構成は、周知の技術であるので、詳細な説明を省略する。
【００３３】
〔タイマ装置の制御動作〕
次に、上述した制御装置４によるタイマ装置１の制御動作について説明する。
図３は、タイマ装置１の操作方法を説明するための図である。
なお、以下では、図３に示す「番号」列に記載された番号順に説明する。すなわち、「番号」列の２〜４（マルチタイマモード時での制御動作）、「番号」列の５〜１５（シングルタイマモード時での制御動作）、「番号」列の１６（ストップウォッチモード時での制御動作）を順に説明する。
「番号」列の１の状態は、利用者によりロータリースイッチ２３が回動され、図１、または図３の「回動位置」列に示すように、ロータリースイッチ２３の回動位置２３Ａがロータリースイッチ２３の外周部分に記載された「OFF」の位置に位置付けられた状態である。この状態では、タイマ装置１の電源がOFFされ、図３の「SPLIT/RESETボタン」列、「START/STOPボタン」列、および「COUNT UP/DOWNボタン」列に示すように、START・STOPボタン２１、SPLIT・RESETボタン２２、およびCOUNT UP DOWNボタン２３の操作が無効となり全ての機能が停止する。
【００３４】
〔マルチタイマモード時での制御動作〕
図４は、マルチタイマモード時での表示手段３の表示状態の一例を示す図である。
利用者によりロータリースイッチ２３が回動され、図１、または図３の「回動位置」列に示すようにロータリースイッチ２３の回動位置２３Ａが「＊SET」、「REP.SET」、および「＊」のいずれかの位置に位置付けられると、図３の「モード」列に示すようにマルチタイマモードに切り替えられる。なお、以下では、「＊SET」、「REP.SET」、および「＊」の３つの回動位置２３Ａに応じて、タイマ時間を設定する際の制御動作、リピート回数を設定する際の制御動作、およびタイマ時間の計測を実施する際の制御動作を順に説明する。
【００３５】
〔タイマ時間を設定する際の制御動作〕
ロータリースイッチ２３の回動位置２３Ａが「＊SET」の位置に位置付けられると、以下に示すように、タイマ時間の設定入力が可能となる。
ロータリースイッチ２３から、「＊SET」の回動位置２３Ａに応じた操作信号が制御装置４の入力制御手段４２に出力される。
入力制御手段４２は、ロータリースイッチ２３から出力される操作信号に基づいて、モードをマルチタイマモードに切り替えるとともに、マルチタイマモード時における複数のタイマ時間を設定入力可能な状態にする。また、入力制御手段４２は、マルチタイマモード時における複数のタイマ時間を設定入力可能にする旨の信号を計測制御手段４３および表示制御手段４４に出力する。
【００３６】
表示制御手段４４は、入力制御手段４２からの信号を入力すると、表示手段３を駆動制御し、図４（Ａ）に示すように、タイマ時間設定状態表示部３１Ｇの「SET」の文字列を点灯させる。利用者は、タイマ時間設定状態表示部３１Ｇの点灯により、タイマ時間の設定入力が可能である旨を認識する。
また、表示制御手段４４は、入力制御手段４２からの信号を入力すると、メモリ４６から従前に設定された選択情報を読み出す。そして、表示制御手段４４は、読み出した選択情報に基づいて表示手段３を駆動制御し、ブザー選択状態表示部３１Ｈ１および振動モータ選択状態表示部３１Ｈ２のいずれかを点灯させる。図４（Ａ）では、従前に振動モータ５２が選択された状態であり、振動モータ選択状態表示部３１Ｈ２の２つの波線が並列する形状のマークが点灯している。利用者は、報知手段状態表示部３１Ｈの点灯により、計測した計測時間が設定されたタイマ時間を越えた場合に、ブザー５１が駆動されるのか、あるいは振動モータ５２が駆動されるのかを認識する。
さらに、表示制御手段４４は、入力制御手段４２からの信号を入力すると、メモリ４６から従前に設定されたリピート回数情報を読み出す。そして、表示制御手段４４は、読み出したリピート回数情報に基づいて表示手段３を駆動制御し、リピート回数表示部３３に読み出したリピート回数情報に基づくリピート回数を表示させる。図４（Ａ）では、従前にリピート回数が３回に設定された状態であり、リピート回数表示部３３には「３」が表示されている。
さらにまた、表示制御手段４４は、入力制御手段４２からの信号を入力すると、状態情報表示部３２を駆動制御し、図４（Ａ）に示すように、表示部３２Ａ〜３２Ｈのうち、表示部３２Ａを点滅させる。また、表示制御手段４４は、上述した状態情報表示部３２の駆動制御と同時に、第１表示部３１Ａおよび第２表示部３１Ｂを点滅させる。利用者は、表示部３２Ａ、第１表示部３１Ａおよび第２表示部３１Ｂの点滅により、現時点でタイマ４１Ａにて計測させるタイマ時間を設定入力可能である旨を認識する。
【００３７】
上述した状態において、利用者によりSTART・STOPボタン２１またはSPLIT・RESETボタン２２が押下されることにより、以下に示すように、タイマ時間を設定する制御動作が実施される。
START・STOPボタン２１またはSPLIT・RESETボタン２２の押下に応じて、START・STOPボタン２１またはSPLIT・RESETボタン２２から操作信号が入力制御手段４２に出力される。
入力制御手段４２は、START・STOPボタン２１から出力される操作信号の数に応じて、タイマ時間の秒桁を増加させる旨の信号を、メモリ４６に出力する。メモリ４６は、入力制御手段４２からの信号を入力する毎に、タイマ４１Ａに関連付けて記憶したタイマ時間情報を、タイマ時間の秒桁を増加させるように更新する。
【００３８】
また、入力制御手段４２は、SPLIT・RESETボタン２２から出力される操作信号の数に応じて、タイマ時間の分桁を増加させる旨の信号を、メモリ４６に出力する。メモリ４６は、入力制御手段４２からの信号を入力する毎に、タイマ４１Ａに関連付けて記憶したタイマ時間情報を、タイマ時間の分桁を増加させるように更新する。
なお、図３の「SPLIT/RESETボタン」列、「START/STOPボタン」列に示すように、分桁の入力範囲は、０〜９９に設定され、秒桁の入力範囲は、０〜５９に設定されている。そして、SPLIT・RESETボタン２２の押下により分桁が９９を越えた場合には０に戻り、同様にSTART・STOPボタン２１の押下により秒桁が５９を超えた場合には０に戻るように構成されている。
また、図示は省略したが、利用者によりSTART・STOPボタン２１およびSPLIT・RESET２２が同時に押下されることにより、入力制御手段４２による制御により、設定時のタイマ時間がリセット（０時間に設定）される。なお、０時間は、０分０秒に相当するものであり、以下の記載も同様とする。
【００３９】
ここで、表示制御手段４４は、メモリ４６に記憶され順次更新されるタイマ時間情報をSTART・STOPボタン２１およびSPLIT・RESETボタン２２から出力される操作信号を入力する毎に順次読み出す。そして、読み出したタイマ時間情報に基づくタイマ時間を第１表示部３１Ａおよび第２表示部３１Ｂに表示させる。図４（Ａ）では、SPLIT・RESETボタン２２が１２回押下されかつ、START・STOPボタン２１が４６回押下され、「１２分４６秒」が設定された状態である。利用者は、このような表示により、設定時に入力したタイマ時間を認識する。
【００４０】
上述したようにタイマ４１Ａにて計測させるタイマ時間が設定された後、利用者によりCOUNT UP DOWNボタン２３が押下されることにより、以下に示すように、タイマ４１Ａにて計測させるタイマ時間の設定を完了する制御動作が実施される。
COUNT UP DOWNボタン２３から押下に応じた操作信号が入力制御手段４２に出力される。入力制御手段４２は、COUNT UP DOWNボタン２３から出力される操作信号に応じて、タイマ時間の設定を完了する旨の信号を表示制御手段４４に出力する。
表示制御手段４４は、入力制御手段４２から出力される信号に応じて、状態情報表示部３２を駆動制御し、図４（Ｂ）に示すように、タイマ時間の設定が完了したタイマ４１Ａに対応する表示部３２Ａの点滅を点灯に切り替える。また同時に、図４（Ｂ）に示すように、タイマ４１Ａの次に計測制御手段４３にて駆動制御されるタイマ４１Ｂに対応する表示部３２Ｂを点滅させる。そして、上記同様に、タイマ４１Ｂにて計測させるタイマ時間の設定入力が可能となる。なお、図４（Ｂ）の第１表示部３１Ａおよび第２表示部３１Ｂに表示された「−−」は、０時間である旨を示す。
すなわち、COUNT UP DOWNボタン２３が押下される毎に、図３の「COUNT UP/DOWNボタン」列に示すように、タイマ４１Ａ〜４１Ｈの順に、計測させるタイマ時間の設定入力が可能となる。また、COUNT UP DOWNボタン２３が押下される毎に、点滅する表示部が表示部３２Ａ〜３２Ｈの順に移行する。なお、タイマ４１Ｈにて計測させるタイマ時間の設定入力が可能な状態で、COUNT UP DOWNボタン２３が押下されると、上述したようなタイマ４１Ａにて計測させるタイマ時間の設定入力が可能な状態に戻る。同様に、表示部３２Ｈが点滅している状態で、COUNT UP DOWNボタン２３が押下されると、上述したような表示部３２Ａが点滅する状態に戻る。
【００４１】
以上のような動作により、各タイマ４１Ａ〜４１Ｈにて計測させる各タイマ時間が設定される。図４（Ｃ）では、タイマ４１Ａ，４１Ｂ，４１Ｄにてそれぞれ計測させる各タイマ時間が設定された状態を示している。このような状態では、表示制御手段４４は、図４（Ｃ）に示すように、メモリ４６に記憶された各タイマ時間情報に基づいて、各タイマ時間情報に関連付けられた各タイマ４１Ａ，４１Ｂ，４１Ｄに対応する表示部３２Ａ，３２Ｂ，３２Ｄのみを点灯させる。利用者は、表示部３２Ａ，３２Ｂ，３２Ｄの点灯により、タイマ４１Ａ〜４１Ｈのうち、タイマ４１Ａ，４１Ｂ，４１Ｄにて各タイマ時間を計測させる旨を認識する。
なお、本実施形態では、タイマ時間として０時間の設定入力も可能に構成されている。ここで、表示制御手段４４は、メモリ４６に記憶されたタイマ時間情報に基づくタイマ時間が０時間である場合には、該タイマ時間情報に関連付けられたタイマに対応する表示部を点灯させないように構成されている。例えば、図４（Ｃ）では、タイマ４１Ｃにて計測させるタイマ時間が０時間で設定されているため、表示制御手段４４は、タイマ４１Ｃに対応する表示部３２Ｃを点灯させない。
【００４２】
〔リピート回数を設定する際の制御動作〕
ロータリースイッチ２３の回動位置２３Ａが「REP.SET」の位置に位置付けられると、以下に示すように、リピート回数の設定入力が可能となる。
ロータリースイッチ２３から、「REP.SET」の回動位置２３Ａに応じた操作信号が入力制御手段４２に出力される。
入力制御手段４２は、ロータリースイッチ２３から出力される操作信号に基づいて、モードをマルチタイマモードで維持するとともに、マルチタイマモード時におけるリピート回数の設定入力、およびメモリ４６に記憶された選択情報の切り替えを可能な状態にする。また、入力制御手段４２は、マルチタイマモード時におけるリピート回数の設定入力、およびメモリ４６に記憶された選択情報の切り替えを可能にする旨の信号を計測制御手段４３および表示制御手段４４に出力する。
【００４３】
表示制御手段４４は、入力制御手段４２からの信号を入力すると、表示手段３を駆動制御し、図４（Ｃ）に示すように、リピート回数表示部３３に表示された「３」を点滅させる。また、これと同時に、表示制御手段４４は、図４（Ｃ）に示すように、振動モータ選択状態表示部３１Ｈ２の２つの波線が並列する形状のマークを点滅させる。利用者は、リピート回数表示部３３の点滅により、リピート回数を設定入力可能である旨を認識する。また、利用者は、報知手段状態表示部３１Ｈの点滅により、メモリ４６に記憶された選択情報を切替可能な状態である旨を認識する。
【００４４】
上述した状態において、利用者によりSTART・STOPボタン２１またはSPLIT・RESETボタン２２が押下されることにより、以下に示すように、リピート回数を設定する制御動作が実施される。
START・STOPボタン２１またはSPLIT・RESETボタン２２の押下に応じて、START・STOPボタン２１またはSPLIT・RESETボタン２２から操作信号が入力制御手段４２に出力される。
入力制御手段４２は、START・STOPボタン２１から出力される操作信号の数に応じて、リピート回数を増加させる旨の信号を、メモリ４６に出力する。メモリ４６は、入力制御手段４２からの信号を入力する毎に、記憶したリピート回数情報を、リピート回数を増加させるように更新する。
また、入力制御手段４２は、SPLIT・RESETボタン２２から出力される操作信号の数に応じて、リピート回数を減少させる旨の信号を、メモリ４６に出力する。メモリ４６は、入力制御手段４２からの信号を入力する毎に、記憶したリピート回数情報を、リピート回数を減少させるように更新する。
ここで、表示制御手段４４は、メモリ４６に記憶され順次更新されるリピート回数情報をSTART・STOPボタン２１およびSPLIT・RESETボタン２２から出力される操作信号を入力する毎に順次読み出す。そして、読み出したリピート回数情報に基づくリピート回数をリピート回数表示部３３に点滅させながら表示させる表示制御を実施する。
なお、図３の「SPLIT/RESETボタン」列、「START/STOPボタン」列に示すように、リピート回数の入力範囲は、１〜９に設定されている。
【００４５】
また、利用者によりCOUNT UP DOWNボタン２３が押下されることにより、以下に示すように、報知手段５の選択情報を切り替える制御動作が実施される。
COUNT UP DOWNボタン２３の押下に応じて、COUNT UP DOWNボタン２３から操作信号が入力制御手段４２に出力される。
入力制御手段４２は、COUNT UP DOWNボタン２３から出力される操作信号に応じて、選択情報を切り替える旨の信号を、メモリ４６に出力する。メモリ４６は、入力制御手段４２からの信号を入力する毎に、記憶した選択情報を切り替えて記憶する。
ここで、表示制御手段４４は、COUNT UP DOWNボタン２３から出力される操作信号に応じて、メモリ４６に記憶された選択情報を読み出し、読み出した選択情報に基づいて、報知手段状態表示部３１Ｈを駆動制御する。
具体的に、図４（Ｃ）に示す状態において、利用者によりCOUNT UP DOWNボタン２３が押下されると、メモリ４６は、入力制御手段４２の制御により、記憶した選択情報をブザー５１が選択された状態を示す選択情報に切り替えて記憶する。そして、表示制御手段４４は、メモリ４６に記憶された選択情報に基づいて、ブザー選択状態表示部３１Ｈ１の鈴形状のマークを点滅させる。
また、利用者によりCOUNT UP DOWNボタン２３が再度押下されると、メモリ４６は、入力制御手段４２の制御により、記憶した選択情報をブザー５１および振動モータ５２のいずれも選択しない状態を示す選択情報に切り替えて記憶する。そして、表示制御手段４４は、メモリ４６に記憶された選択情報に基づいて、ブザー選択状態表示部３１Ｈ１および振動モータ選択状態表示部３１Ｈ２の双方を非点灯とする。この状態は、計測時の計測時間が設定された少なくとも１つのタイマ時間の合計時間を超えた場合でも、報知手段５が駆動しない状態である。
さらに、利用者によりCOUNT UP DOWNボタン２３が再度押下されると、図４（Ｃ）に示す状態に戻る。
すなわち、図３の「COUNT UP/DOWNボタン」列に示すように、COUNT UP DOWNボタン２３が押下される毎に、振動モータ５２が選択された状態、ブザー５１が選択された状態、ブザー５１および振動モータ５２のいずれも選択しない状態の順に切り替わる。
【００４６】
〔タイマ時間の計測を実施する際の制御動作〕
ロータリースイッチ２３の回動位置２３Ａが「＊」の位置に位置付けられると、以下に示すように、設定が完了したタイマ時間の計測が可能となる。なお、以下では、説明の便宜上、図４（Ｄ）に示すように、タイマ４１Ａ，４１Ｂ，４１Ｄにて計測させるタイマ時間のみの設定が完了されている状態、リピート回数が３回に設定されている状態、COUNT DOWN状態に設定されている状態、および振動モータ５２が選択されている状態での動作を説明する。
ロータリースイッチ２３から、「＊」の回動位置２３Ａに応じた操作信号が入力制御手段４２に出力される。
入力制御手段４２は、ロータリースイッチ２３から出力される操作信号に基づいて、モードをマルチタイマモードで維持するとともに、マルチタイマモード時におけるタイマ時間の計測を可能な状態にする。また、入力制御手段４２は、マルチタイマモード時におけるタイマ時間の計測を可能な状態にする旨の信号を計測制御手段４３、表示制御手段４４、および報知制御手段４５に出力する。
【００４７】
表示制御手段４４は、入力制御手段４２からの信号を入力すると、メモリ４６に記憶された各タイマ時間情報に関連付けられたタイマ４１Ａ，４１Ｂ，４１Ｄに対応する表示部３２Ａ，３２Ｂ，３２Ｄのみを点灯させた状態で維持する。また、表示制御手段４４は、図４（Ｄ）に示すように、リピート回数表示部３３の点滅を点灯に切り替えるとともに、報知手段状態表示部３１Ｈの点滅を点灯に切り替える。さらに、表示制御手段４４は、図４（Ｄ）に示すように、タイマ時間設定状態表示部３１Ｇの駆動を停止し、「SET」の文字列を非点灯状態とする。さらにまた、表示制御手段４４は、メモリ４６に記憶され最初に計測させるタイマ４１Ａに関連付けられたタイマ時間情報を読み出す。そして、表示制御手段４４は、計測時間表示部３１を駆動制御し、読み出したタイマ時間情報に基づくタイマ時間を表示させる。また、表示制御手段４４は、メモリ４６に記憶された選択情報を読み出し、読み出した選択情報に基づいて、図４（Ｄ）に示すように、COUNT DOWN状態表示部３１Ｄ２を点灯する。
そして、利用者は、上述した表示により、マルチタイマモード時におけるタイマ時間を計測可能な状態である旨を認識する。
【００４８】
上述した状態において、利用者によりSTART・STOPボタン２１が押下されることにより、図３の「START/STOPボタン」列に示すように、タイマ時間の計測を開始する制御動作が実施される。
すなわち、START・STOPボタン２１の押下に応じて、START・STOPボタン２１から操作信号が入力制御手段４２に出力される。
入力制御手段４２は、START・STOPボタン２１から出力される操作信号を入力すると、タイマ時間の計測を開始する旨の信号を計測制御手段４３、表示制御手段４４、および報知制御手段４５に出力する。
計測制御手段４３は、入力制御手段４２からの信号を入力すると、メモリ４６に記憶され最初に計測させるタイマ４１Ａに関連付けられたタイマ時間情報を読み出す。また、計測制御手段４３は、タイマ４１Ａを駆動制御し、タイマ４１Ａに計測を開始させる。そして、タイマ４１Ａは、計測時の計測時間に応じた信号を順次、計測制御手段４３、表示制御手段４４、および報知制御手段４５に出力する。
ここで、計測制御手段４３は、タイマ４１Ａから順次入力した信号に基づいてタイマ４１Ａにて計測された計測時間を順次認識し、認識した計測時間と、メモリ４６から読み出したタイマ時間情報に基づくタイマ時間とを比較する。そして、計測制御手段４３は、タイマ４１Ａによる計測時間が設定されたタイマ時間と同一時間であると判断するまで、タイマ４１Ａを駆動制御する。
【００４９】
表示制御手段４４は、入力制御手段４２からの信号を入力すると、最初に計測させるタイマ４１Ａに対応する表示部３２Ａの点灯を点滅に切り替える。
また、表示制御手段４４は、メモリ４６に記憶され最初に計測させるタイマ４１Ａに関連付けられたタイマ時間情報を読み出す。さらに、表示制御手段４４は、タイマ４１Ａから順次入力した信号に基づいてタイマ４１Ａにて計測された計測時間を順次認識する。そして、表示制御手段４４は、読み出したタイマ時間情報に基づくタイマ時間から、認識した計測時間を順次減算して残時間を順次算出する。そしてまた、順次算出した残時間を第１表示部３１Ａ、第２表示部３１Ｂ、および第３表示部３１Ｃに表示させる。利用者は、表示される残時間から、タイマ４１Ａにて計測させるタイマ時間が残り何時間で終了するのかを認識する。
【００５０】
計測制御手段４３は、タイマ４１Ａによる計測時の計測時間が設定されたタイマ時間と同一時間になったと判断すると、タイマ４１Ａの駆動を完了する。また、計測制御手段４３は、メモリ４６に記憶されタイマ４１Ａの次に駆動されるタイマ４１Ｂに関連付けられたタイマ時間情報を読み出す。さらに、計測制御手段４３は、タイマ４１Ｂを駆動制御し、タイマ４１Ｂに計測を開始させる。そして、タイマ４１Ｂは、上述したタイマ４１Ａと同様に、計測時の計測時間に応じた信号を順次、計測制御手段４３、表示制御手段４４、および報知制御手段４５に出力する。
ここで、計測制御手段４３は、上記同様に、タイマ４１Ｂによる計測時の計測時間が設定されたタイマ時間と同一時間であると判断するまで、タイマ４１Ｂを駆動制御する。
【００５１】
表示制御手段４４は、計測制御手段４３による計測手段４１の駆動状態がタイマ４１Ａからタイマ４１Ｂに切り替えられると、タイマ４１Ｂに対応する表示部３２Ｂの点灯を点滅に切り替える。
また、表示制御手段４４は、上記同様に、メモリ４６から読み出したタイマ４１Ｂに関連付けられたタイマ時間情報に基づくタイマ時間から、タイマ４１Ｂから順次入力され認識した計測時間を順次減算した残時間を状態情報表示部３２に表示させる。この状態での状態情報表示部３２の表示は、図４（Ｄ）に示すような表示状態となる。
【００５２】
上述したように、計測制御手段４３は、メモリ４６に記憶された各タイマ時間を順次読み出し、読み出した各タイマ時間を対応するタイマ４１Ａ，４１Ｂ，４１Ｄに順次、連続して計測させる制御を実施する。
また、表示制御手段４４は、メモリ４６に記憶された各タイマ時間情報に関連付けられた各タイマ４１Ａ，４１Ｂ，４１Ｄに対応する表示部３２Ａ，３２Ｂ，３２Ｄを点灯させつつ、計測を実施しているタイマに対応させて、表示部３２Ａ，３２Ｂ，３２Ｄを順次点滅させるように、状態情報表示部３２を制御する。利用者は、このような表示により、計測させる各タイマ時間のうち、現時点でどのタイマ時間が計測されているのかを認識する。
【００５３】
また、計測制御手段４３は、タイマ４１Ａ，４１Ｂ，４１Ｄを順次、連続して計測させるサイクルを１回実施した後、すなわち、タイマ４１Ｄによる計測時の計測時間が設定されたタイマ時間と同一時間であると判断すると、メモリ４６に記憶されたリピート回数情報を読み出す。そして、計測制御手段４３は、読み出したリピート回数情報に基づくリピート回数が３回である旨を認識し、上述したサイクルを後２回繰り返すリピート制御を実施する。
なお、計測制御手段４３によりリピート制御が実施されている際の表示制御手段４４による状態情報表示部３２の制御動作は、上述した制御動作と同様である。
また、表示制御手段４４は、計測制御手段４３によりリピート制御が実施されている際、上述したサイクルが終了する毎に、リピート回数表示部３３に表示させる数字を減らすように制御する。すなわち、上述したサイクルが終了する毎に、リピート回数表示部３３には、「３」、「２」、「１」が順次表示される。利用者は、このような表示により、上述したサイクルが後、残り何回で終了するのかを認識する。
【００５４】
そして、計測制御手段４３によるリピート制御が実施された後、すなわち、３回目のサイクル時でのタイマ４１Ｄによる計測時の計測時間が設定されたタイマ時間と同一時間となった場合には、報知制御手段４５は、メモリ４６に記憶された選択情報を読み出す。そして、報知制御手段４５は、読み出した選択情報に基づいて、振動モータ５２を駆動し、タイマ装置１を振動させる。また、これと同時に、表示制御手段４４は、オーバータイム状態表示部３１Ｆを駆動制御し、「OT」の文字列を点灯させる。利用者は、タイマ装置１の振動、およびオーバータイム状態表示部３１Ｆの点灯により、マルチタイマモード時におけるタイマ時間の計測が終了した旨を認識する。
【００５５】
また、図４（Ｄ）に示すタイマ時間の計測が実施されている際に、利用者により再度、START・STOPボタン２１が押下されることにより、図３の「START/STOPボタン」列に示すように、タイマ時間の計測を中断する制御動作が実施される。
すなわち、START・STOPボタン２１の押下に応じた操作信号が再度、入力制御手段４２に入力すると、入力制御手段４２は、タイマ時間の計測を中断する旨の信号を、計測制御手段４３および表示制御手段４４に出力する。
計測制御手段４３は、入力制御手段４２からの信号を入力すると、タイマ４１Ｂの駆動を中断させる。
表示制御手段４４は、入力制御手段４２からの信号を入力すると、図４（Ｅ）に示すように、該信号を入力した時点での表示状態を維持するように表示手段３を駆動制御する。また、表示制御手段４４は、STOP状態表示部３１Ｅ１を駆動制御し、図４（Ｅ）に示すように、STOP状態表示部３１Ｅ１の「STOP」の文字列を点灯させる。利用者は、第１表示部３１Ａ、第２表示部３１Ｂ、および第３表示部３１Ｃの表示状態、ならびにSTOP状態表示部３１Ｅ１の点灯により、タイマ時間の計測を中断した旨を認識する。
また、図４（Ｅ）に示す状態において、利用者によりSPLIT・RESETボタン２２が押下されると、図３の「SPLIT/RESETボタン」列に示すように、タイマ時間の計測が初期化され、上述したようなロータリースイッチ２３の回動位置２３Ａが「＊」の位置に位置付けられた状態と同様の状態となる。
【００５６】
なお、上述したタイマ時間の計測を実施する際の制御動作は、COUNT DOWN状態に設定されている状態での制御動作を説明したが、COUNT UP状態に設定されている状態での制御動作は、表示制御手段４４による計測時間表示部３１の制御動作が異なるのみである。
すなわち、COUNT UP状態に設定されている場合には、表示制御手段４４は、タイマ時間の計測時に、タイマから順次入力した信号に基づいて認識した計測時間を第１表示部３１Ａ、第２表示部３１Ｂ、および第３表示部３１Ｃに表示させる。
【００５７】
また、ロータリースイッチ２３の回動位置２３Ａが「＊」に位置付けられた状態で、利用者によりCOUNT UP DOWNボタン２３が操作されることにより、COUNT UP状態およびCOUNT DOWN状態を示す選択情報を切り替える制御動作が実施される。
なお、この制御動作は、上述した報知手段５の選択情報を切り替える制御動作と略同様であり、図３の「COUNT UP/DOWNボタン」列に示すように、COUNT UP DOWNボタン２３が押下される毎に、COUNT UP状態、COUNT DOWN状態の順に切り替わる。
【００５８】
〔シングルタイマモード時での制御動作〕
次に、シングルタイマモード時での制御動作を説明する。
図５は、シングルタイマモード時での表示手段３の表示状態の一例を示す図である。
利用者によりロータリースイッチ２３が回動され、図１、または図３の「回動位置」列に示すように、ロータリースイッチ２３の回動位置２３Ａが「1」、「2」、「3」、「5」、「10」、「15」、「20」、「30」、「40」、「45」、「60」のいずれかの位置に位置付けられると、図３の「モード」列に示すように、シングルタイマモードに切り替えられる。
ロータリースイッチ２３から「1」、「2」、「3」、「5」、「10」、「15」、「20」、「30」、「40」、「45」、「60」のいずれかの回動位置２３Ａに応じた操作信号が入力制御手段４２に出力される。
入力制御手段４２は、ロータリースイッチ２３から出力される操作信号に基づいて、モードをシングルタイマモードに切り替える。また、入力制御手段４２は、シングルタイマモード時におけるタイマ時間の計測を可能な状態にする旨の信号を計測制御手段４３、表示制御手段４４、および報知制御手段４５に出力する。
【００５９】
表示制御手段４４は、入力制御手段４２から出力される信号を入力すると、メモリ４６から回動位置２３Ａに応じたタイマ時間を読み出す。ここで、回動位置２３Ａの「1」、「2」、「3」、「5」、「10」、「15」、「20」、「30」、「40」、「45」、「60」は、「1分間」、「2分間」、「3分間」、「5分間」、「10分間」、「15分間」、「20分間」、「30分間」、「40分間」、「45分間」、「60分間」のタイマ時間に相当する。そして、表示制御手段４４は、計測時間表示部３１を駆動制御し、読み出したタイマ時間を計測時間表示部３１に表示させる。利用者は、上述したタイマ時間の表示により、選択したタイマ時間を認識する。
また、表示制御手段４４は、入力制御手段４２から出力される信号を入力すると、上述したマルチタイマモード時と同様に、メモリ４６に記憶された選択情報を読み出す。そして、表示制御手段４４は、読み出した選択情報に基づいて、図５に示すように、振動モータ選択状態表示部３１Ｈ２の２つの波線が並列する形状のマークを点灯させるとともに、COUNT DOWN状態表示部３１Ｄ２を点灯させる。
すなわち、シングルタイマモード時では、表示制御手段４４は、状態情報表示部３２およびリピート回数表示部３３を駆動制御することなく、図５に示すように、状態情報表示部３２およびリピート回数表示部３３には何も表示されない。
【００６０】
上述した状態において、利用者によりSTART・STOPボタン２１が押下されることにより、図３の「START/STOPボタン」列に示すように、タイマ時間の計測を開始する制御動作が実施される。
なお、シングルタイマモード時でのタイマ時間の計測を実施する際の制御動作は、計測制御手段４３がメモリ４６から回動位置２３Ａに応じたタイマ時間を読み出し、このタイマ時間を単一のタイマ４１Ａに計測させる点以外は、上述したマルチタイマモード時でのタイマ時間の計測を実施する際の制御動作と同様であるため、説明を省略する。
【００６１】
〔ストップウォッチモード時での制御動作〕
次に、ストップウォッチモード時での制御動作を説明する。
利用者によりロータリースイッチ２３が回動され、図１、または図３の「回動位置」列に示すように、ロータリースイッチ２３の回動位置２３Ａが「STOP.W.」の位置に位置付けられると、図３の「モード」列に示すように、ストップウォッチモードに切り替えられる。
ロータリースイッチ２３から「STOP.W.」の回動位置２３Ａに応じた操作信号が入力制御手段４２に出力される。
入力制御手段４２は、ロータリースイッチ２３から出力される操作信号に基づいて、モードをストップウォッチモードに切り替える。また、入力制御手段４２は、ストップウォッチモード時における経過時間の計測を可能な状態にする旨の信号を計測制御手段４３および表示制御手段４４に出力する。
表示制御手段４４は、入力制御手段４２から出力される信号を入力すると、計測時間表示部３１を駆動制御し、計測が未だ実施されていない旨、すなわち、０時間を表示させる。
また、表示制御手段４４は、上述したシングルタイマモード時と同様に、ストップウォッチモード時では、状態情報表示部３２およびリピート回数表示部３３を駆動制御することなく、状態情報表示部３２およびリピート回数表示部３３には何も表示されない。
【００６２】
上述した状態において、利用者によりSTART・STOPボタン２１が押下されることにより、図３の「START/STOPボタン」列に示すように、経過時間の計測を開始する制御動作が実施される。
なお、ストップウォッチモード時での経過時間の計測を実施する際の制御動作は、シングルタイマモード時におけるCOUNT UP状態に設定された状態でのタイマ時間の計測を実施する際の制御動作と略同様である。異なる点は、SPLITタイムを計測できる点のみであり、以下では、このSPLITタイムの計測を実施する際の制御動作のみを説明する。
【００６３】
START・STOPボタン２１が押下され経過時間の計測が開始された状態で、利用者によりSPLIT・RESETボタン２２が押下されると、図３の「SPLIT/RESETボタン」列に示すように、SPLITタイムが計測される。
SPLIT・RESETボタン２２の押下に応じて、SPLIT・RESETボタン２２から操作信号が入力制御手段４２に出力される。
入力制御手段４２は、SPLIT・RESETボタン２２から出力される操作信号を入力すると、SPLITタイムを計測する旨の信号を計測制御手段４３および表示制御手段４４に出力する。
計測制御手段４３は、入力制御手段４２からの信号を入力すると、タイマ４１Ａによる経過時間の計測を継続させる。
一方、表示制御手段４４は、入力制御手段４２からの信号を入力すると、該信号の入力した時点での表示状態を維持するように表示手段３を駆動制御する。また、表示制御手段４４は、SPLIT状態表示部３１Ｅ２を駆動制御し、SPLIT状態表示部３１Ｅ２の「SPLIT」の文字列を点灯させる。利用者は、第１表示部３１Ａ、第２表示部３１Ｂ、および第３表示部３１Ｃの表示状態、ならびにSPLIT状態表示部３１Ｅ２の点灯により、SPLITタイムが計測された旨を認識する。
【００６４】
また、上述したSPLITタイムが計測された状態で、利用者によりSPLIT・RESETボタン２２が再度押下されると、以下に示すように、SPLITタイムの計測を解除する制御動作が実施される。
すなわち、SPLIT・RESETボタン２２の押下に応じて、SPLIT・RESETボタン２２から再度、操作信号が入力制御手段４２に出力される。
入力制御手段４２は、SPLIT・RESETボタン２２から出力される操作信号を再度入力すると、SPLITタイムの計測を解除する旨の信号を計測制御手段４３および表示制御手段４４に出力する。
計測制御手段４３は、入力制御手段４２からの信号を再度入力すると、上記同様に、タイマ４１Ａによる経過時間の計測を継続させる。
一方、表示制御手段４４は、入力制御手段４２からの信号を再度入力すると、継続して計測を実施しているタイマ４１Ａから順次出力される信号に基づいて、タイマ４１Ａにて計測された経過時間を順次認識する。そして、表示制御手段４４は、計測時間表示部３１を駆動制御し、認識した経過時間を順次表示させる。
また、表示制御手段４４は、入力制御手段４２からの信号を再度入力すると、SPLIT状態表示部３１Ｅ２の駆動を停止し、「SPLIT」の文字列を非点灯状態とする。
【００６５】
〔第１実施形態の効果〕
上述した第１実施形態によれば、以下の効果がある。
（１）タイマ装置１を構成するメモリ４６が設定入力手段２に設定入力された複数のタイマ時間に関するタイマ時間情報をタイマ４１Ａ〜４１Ｈに関連付けて記憶するので、利用者は予め複数のタイマ時間を設定しておくことができる。また、タイマ装置１を構成する計測制御手段４３がメモリ４６に記憶されたタイマ時間情報を順次読み出し、読み出したタイマ時間情報に基づくタイマ時間を対応するタイマに順次計測させるので、設定した複数のタイマ時間を順次連続して計測させることができる。このため、複数のタイマ時間を連続して計測する場合に、従来のように、タイマ時間の設定およびタイマ時間の計測を繰り返し実施する煩雑な作業を利用者に実施させることがなく、タイマ装置１の利便性の向上が図れる。
【００６６】
（２）タイマ装置１を構成する表示制御手段４４は、計測制御手段４３による計測手段４１の駆動制御が実施されている際、表示部３２Ａ〜３２Ｈのうち、現時点で計測を実施しているタイマに対応する表示部を点滅させるので、状態情報表示部３２の表示により、予め設定した複数のタイマ時間のうち、現時点でどのタイマ時間が計測されているのかを利用者に認識させることができる。
【００６７】
（３）表示制御手段４４は、メモリ４６に記憶された各タイマ時間情報に基づいて、表示部３２Ａ〜３２Ｈのうち、各タイマ時間を計測させる各タイマに対応する各表示部を点灯させるので、状態情報表示部３２の表示により、計測させる各タイマ時間の予定数を利用者に認識させることができる。そして、上述した表示部の点滅および点灯表示により、予め設定した複数のタイマ時間のうち、現時点でどのタイマ時間が計測されているのかを利用者に容易に認識させることができる。
【００６８】
（４）状態情報表示部３２の表示部３２Ａ〜３２Ｈは、計測手段４１のタイマ４１Ａ〜４１Ｈに対応して設けられ各タイマ４１Ａ〜４１Ｈの駆動順序に応じて整列配置されているので、タイマ４１Ａ〜４１Ｈと表示部３２Ａ〜３２Ｈとが１対１で対応することとなる。このため、表示部３２Ａ〜３２Ｈのうち、点灯表示した表示部の数に基づいて、計測させるタイマ時間の予定数を利用者に確実に認識させることができる。そして、点灯表示した各表示部の中での点滅表示した表示部の位置を利用者に確認させることで、計測を予定する複数のタイマ時間のうち、現時点でどのタイマ時間が計測されているのかを利用者に一目で認識させることができる。
【００６９】
（５）表示部３２Ａ〜３２Ｈは、８つのタイマ４１Ａ〜４１Ｈの駆動順序に応じた番号が付与されたマークを点灯および点滅するので、計測させるタイマ時間の予定数、および現時点で計測しているタイマ時間が何番目のタイマ時間であるのかを利用者に認識させやすい構成となる。
【００７０】
（６）メモリ４６が設定入力手段２に設定入力されたリピート回数に関するリピート情報を記憶し、計測制御手段４３がメモリ４６に記憶されたリピート回数情報に基づいてリピート制御を実施するので、設定した複数のタイマ時間の計測を繰り返し実施させる場合に、再度、利用者に対して設定入力手段２に設定入力させる作業を実施させることがない。また、リピート回数の設定およびリピート制御により、利用者の要求に応じたより多くのタイマ時間を連続して計測させることができる。したがって、タイマ装置１の利便性の向上がさらに図れる。
【００７１】
（７）表示制御手段４４がメモリ４６に記憶されたリピート回数情報に基づいて、リピート回数表示部３３にリピート回数を表示するので、リピート制御が実施される旨を利用者に認識させることができる。また、設定したリピート回数の表示により、誤ってリピート回数を設定入力した際でも、利用者にリピート回数の再入力を促すことができる構成となる。
【００７２】
（８）表示制御手段４４は、計測制御手段４３によりリピート制御が実施されている際、サイクルが終了する毎に、リピート回数表示部に表示させるリピート回数を減少させる制御を実施するので、設定されたリピート回数のうち、サイクルを実施させる残りのリピート回数を利用者に認識させることができる。
【００７３】
（９）表示部３２Ａ〜３２Ｈが円環状に整列配置されているので、サイクルの開始時点および終了時点を利用者に明確に認識させることができる。
【００７４】
（１０）制御装置４は、ロータリースイッチ２３の回動位置２３Ａを変更することでマルチタイマモード、シングルタイマモード、およびストップウォッチモードを変更可能に構成されているので、利用者の種々の要求に応じた使用を１つのタイマ装置１にて実現でき、タイマ装置１の利便性の向上が図れる。
【００７５】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、マルチタイマモード時において、タイマ時間として、０時間の設定が可能な構成である。
これに対して第２実施形態では、マルチタイマモード時において、タイマ時間として、０時間の設定を禁止する構成である。
すなわち、第２実施形態は、前記第１実施形態に対して、マルチタイマモード時でのタイマ時間を設定する際の制御動作が異なるのみであるため、以下では、この制御動作のみを説明する。なお、マルチタイマモード時での他の制御動作、シングルタイマモード時およびストップウォッチモード時での制御動作は、前記第１実施形態で説明した制御動作と同様のものとする。
【００７６】
図６は、第２実施形態におけるマルチタイマモード時での表示手段３の表示状態の一例を示す図である。
図６（Ａ）は、上述したように、ロータリースイッチ２３の回動位置２３Ａが「＊SET」の位置に位置付けられた状態で、START・STOPボタン２１およびSPLIT・RESETボタン２２の操作が未だ実施されていない、すなわち、タイマ時間として０時間が設定入力されている状態を示している。なお、第１表示部３１Ａおよび第２表示部３１Ｂに表示された「−−」は、図４（Ｂ）と同様に、０時間である旨を示している。
この状態で、利用者によりCOUNT UP DOWNボタン２３が押下されると、前記第１実施形態では、タイマ４１Ａにて計測させるタイマ時間が０時間に設定され、タイマ４１Ａの次のタイマ４１Ｂにて計測させるタイマ時間の設定入力が可能な状態となる。しかしながら、本実施形態では、上述した状態で、利用者によりCOUNT UP DOWNボタン２３が押下されても、タイマ４１Ａにて計測させるタイマ時間が０時間で設定されずに、タイマ４１Ａにて計測させるタイマ時間の設定入力が可能な状態を維持する。
【００７７】
すなわち、上述した状態で、COUNT UP DOWNボタン２３が押下されると、COUNT UP DOWNボタン２３から押下に応じた操作信号が入力制御手段４２に出力される。
入力制御手段４２は、COUNT UP DOWNボタン２３から出力される操作信号を入力すると、メモリ４６に記憶されタイマ４１Ａに関連付けられたタイマ時間情報を読み出す。ここで、入力制御手段４２は、読み出したタイマ時間情報に基づくタイマ時間が０時間である場合には、タイマ４１Ａにて計測させるタイマ時間の設定入力を維持する旨の信号を表示制御手段４４に出力する。
表示制御手段４４は、入力制御手段４２から出力される信号に応じて、状態情報表示部３２を駆動制御し、図６（Ｂ）に示すように、タイマ４１Ａに対応する表示部３２Ａの点滅状態を維持させる。
【００７８】
そして、タイマ４１Ａにて計測させるタイマ時間の設定入力が可能な状態で、利用者によりSTART・STOPボタン２１およびSPLIT・RESETボタン２２が操作されると、前記第１実施形態と同様に、所定の時間が設定入力される（図６（Ｂ）参照）。
図６（Ｂ）に示すように、０時間を除く所定の時間が設定入力された状態で、利用者によりCOUNT UP DOWNボタン２３が押下されると、前記第１実施形態と同様に制御装置４が動作し、図６（Ｃ）に示すように、タイマ４１Ａにて計測させるタイマ時間が設定され、タイマ４１Ａの次のタイマ４１Ｂにて計測させるタイマ時間の設定入力が可能な状態となる。
【００７９】
図６（Ｄ）は、マルチタイマモード時において、各タイマ時間の設定が完了した後、各タイマ時間を計測させている状態を示している。
以上のような制御では、タイマ時間として０時間の設定が禁止されるため、メモリ４６には、タイマ４１Ａ〜４１Ｈのうち、タイマ４１Ａから間隔を空けることなく連続した所定のタイマまでの範囲で、各タイマ時間情報が前記範囲内の各タイマ（図６（Ｄ）では、タイマ４１Ａ〜４１Ｃ）に関連付けて記憶される。また、表示制御手段４４による状態情報表示部３２の駆動制御により、表示部３２Ａ〜３２Ｈのうち、表示部３２Ａから間隔を空けることなく連続した所定の表示部までの範囲で、前記範囲内の各表示部（図４（Ｄ）では、表示部３２Ａ〜３２Ｃ）が点灯する。
そして、ロータリースイッチ２３の回動位置２３Ａが「＊」の位置に位置付けられた状態で、利用者によりSTART・STOPボタン２１が押下されることにより、図６（Ｄ）に示すように、前記第１実施形態で説明したタイマ時間の計測を開始する制御動作と同様の制御動作が実施される。
また、図６（Ｄ）に示すタイマ時間の計測が実施されている際に、利用者により再度、START・STOPボタン２１が押下されることにより、図６（Ｅ）に示すように、前記第１実施形態で説明したタイマ時間の計測を中断する制御動作と同様の制御動作が実施される。
【００８０】
〔第２実施形態の効果〕
上述した第２実施形態によれば、上記（１）〜（１０）と同様の効果の他、以下の効果がある。
（１１）制御装置４がタイマ時間として０時間の設定を禁止するので、表示制御手段４４による状態情報表示部３２の駆動制御により、表示部３２Ａ〜３２Ｈのうち、表示部３２Ａから間隔を空けることなく連続した所定の表示部までの範囲で、前記範囲内の各表示部を点灯させることができる。このため、点灯表示した各表示部の番号のうち、一番大きい番号を利用者に確認させることで、計測させるタイマ時間の予定数を利用者に確実に認識させることができる。また、点滅表示した表示部の番号を利用者に確認させることで、現時点で計測しているタイマ時間が何番目のタイマ時間であるのかを利用者に確実に認識させることができる。
【００８１】
[第３実施形態]
次に、本発明の第３実施形態を図面に基づいて説明する。
以下の説明では、前記第１実施形態と同様の構造および同一部材には同一符号を付して、その詳細な説明は省略または簡略化する。
前記第１実施形態では、ロータリースイッチ２３は、各種モードを変更するための回転スイッチとして構成されている。
これに対して第３実施形態では、ロータリースイッチ２３は、前記第１実施形態におけるSTART・STOPボタン２１およびSPLIT・RESETボタン２２と同様に、マルチタイマモード時でのタイマ時間およびリピート回数を設定入力するための回転スイッチとしての機能を有する。
すなわち、第３実施形態は、前記第１実施形態に対して、マルチタイマモード時でのタイマ時間およびリピート回数を設定する際の制御動作が異なるのみであるため、以下では、これら制御動作のみを説明する。なお、マルチタイマモード時でのタイマ時間の計測を実施する際の制御動作、シングルタイマモード時およびストップウォッチモード時での制御動作は、前記第１実施形態で説明した制御動作と同様のものとする。
【００８２】
図７は、第３実施形態におけるタイマ装置１の操作方法を説明するための図である。
図７に示すように、第３実施形態におけるタイマ装置１では、ロータリースイッチ２３の回動位置２３Ａとして、前記第１実施形態で説明した「＊SET」および「REP.SET」が省略され、「25」および「35」が追加されている。すなわち、シングルタイマモード時では、詳細な説明は省略するが、ロータリースイッチ２３の回動位置２３Ａである「25」および「35」に応じたタイマ時間「25分間」および「35分間」の計測も可能となっている。
【００８３】
利用者によりロータリースイッチ２３が回動され、ロータリースイッチ２３の回動位置２３Ａが「＊」、「1」、「2」、「3」、「5」、「10」、「15」、「20」、「25」、「30」、「35」、「40」、「45」、「60」のいずれかの位置に位置付けられた状態で、図７の「COUNT UP/DOWNボタン 長押し」列に示すように、利用者によりCOUNT UP DOWNボタン２３が所定時間（１〜２秒間）、継続して押下されることにより、以下に示すように、マルチタイマモード時でのタイマ時間およびリピート回数の設定入力が可能な設定モードに移行する。
【００８４】
図８は、マルチタイマモード時でのタイマ時間を設定する操作方法を説明するための図である。
COUNT UP DOWNボタン２３の押下時間に応じて、COUNT UP DOWNボタン２３から押下時間に応じた操作信号が入力制御手段４２に出力される。
入力制御手段４２は、COUNT UP DOWNボタン２３から出力される操作信号を入力すると、タイマ時間の設定入力が可能な設定モードに移行する旨の信号を計測制御手段４３および表示制御手段４４に出力する。
そして、表示制御手段４４は、入力制御手段４２からの信号を入力すると、前記第１実施形態と同様に、表示手段３を駆動制御し、タイマ時間設定状態表示部３１Ｇおよび報知手段状態表示部３１Ｈを点灯させる。また、リピート回数表示部３３にリピート回数を表示させる。さらに、状態情報表示部３２の表示部３２Ａ、第１表示部３１Ａおよび第２表示部３１Ｂを点滅させる。
【００８５】
上述した状態において、利用者によりロータリースイッチ２３が回動されることにより、以下に示すように、タイマ時間を設定する制御動作が実施される。なお、以下では、図８の「回動位置」列に示すように、回動位置２３Ａが「1」、「2」、「3」、「5」、「10」、「15」、「20」、「25」、「30」、「35」、「40」、「45」、「60」のいずれかの位置に位置付けられた場合、および、「＊」の位置に位置付けられた場合での制御動作を順に説明する。
【００８６】
利用者によるロータリースイッチ２３の回動操作により、回動位置２３Ａが「1」、「2」、「3」、「5」、「10」、「15」、「20」、「25」、「30」、「35」、「40」、「45」、「60」のいずれかの位置に位置付けられた場合には、以下に示すように、回動位置２３Ａの位置に応じたタイマ時間を設定する制御動作が実施される。
すなわち、ロータリースイッチ２３から「1」、「2」、「3」、「5」、「10」、「15」、「20」、「25」、「30」、「35」、「40」、「45」、「60」のいずれかの回動位置２３Ａに応じた操作信号が入力制御手段４２に出力される。
入力制御手段４２は、ロータリースイッチ２３から出力される操作信号に基づいて、回動位置２３Ａを認識する。そして、入力制御手段４２は、認識した回動位置２３Ａに対応するタイマ時間に基づく信号を、メモリ４６に出力する。ここで、回動位置２３Ａの「1」、「2」、「3」、「5」、「10」、「15」、「20」、「25」、「30」、「35」、「40」、「45」、「60」は、前記第１実施形態で説明したシングルタイマモードと略同様に、「1分間」、「2分間」、「3分間」、「5分間」、「10分間」、「15分間」、「20分間」、「25分間」、「30分間」、「35分間」、「40分間」、「45分間」、「60分間」のタイマ時間に相当する。メモリ４６は、入力制御手段４２からの信号を入力すると、該信号に基づくタイマ時間に関するタイマ時間情報をタイマ４１Ａに関連付けて記憶する。
なお、上述した状態では、図８の「SPLIT/RESETボタン」列、および「START/STOPボタン」列に示すように、START・STOPボタン２１およびSPLIT・RESETボタン２２の操作が無効となり、これらボタン２１，２２を押下しても動作しない。
【００８７】
また、利用者によるロータリースイッチ２３の回動操作により、回動位置２３Ａが「＊」の位置に位置付けられた場合には、以下に示すように、任意のタイマ時間の設定入力が可能な状態となる。
すなわち、ロータリースイッチ２３から「＊」の回動位置２３Ａに応じた操作信号が入力制御手段４２に出力される。
入力制御手段４２は、ロータリースイッチ２３から出力される操作信号に基づいて、任意のタイマ時間を設定入力可能にする旨の信号を計測制御手段４３および表示制御手段４４に出力する。
そして、この状態において、利用者によりSTART・STOPボタン２１およびSPLIT・RESETボタン２２が押下されることにより、前記第１実施形態で説明したタイマ４１Ａにて計測させるタイマ時間を設定する制御動作と同様の制御動作が実施される。
【００８８】
上述したような操作によりタイマ４１Ａにて計測させるタイマ時間が設定された後、利用者によりCOUNT UP DOWNボタン２３が押下されることにより、図８の「COUNT UP DOWNボタン」列に示すように、前記第１実施形態で説明したタイマ時間の設定を完了する制御動作と略同様の制御動作が実施される。すなわち、前記第１実施形態と同様に、COUNT UP DOWNボタン２３が押下される毎に、タイマ４１Ａ〜４１Ｈの順に、計測させるタイマ時間の設定入力が可能となる。そして、上述したように、ロータリースイッチ２３を回動させることで、タイマ４１Ａ〜４１Ｈの順に所定のタイマ時間または任意のタイマ時間が設定される。
【００８９】
図９は、マルチタイマモード時でのリピート回数を設定する操作方法を説明するための図である。
上述した設定モードに移行した状態、回動位置２３Ａが「＊」に位置付けられた状態、およびタイマ４１Ｈにて計測させるタイマ時間の設定入力が可能な状態で、利用者によりCOUNT UP DOWNボタン２３が再度押下されることにより、リピート回数の設定入力、およびメモリ４６に記憶された選択情報の切り替えが可能となる。
入力制御手段４２は、COUNT UP DOWNボタン２３から操作信号を９回入力すると、マルチタイマモード時におけるリピート回数の設定入力、およびメモリ４６に記憶された選択情報の切り替えを可能な状態にする。また、入力制御手段４２は、マルチタイマモード時におけるリピート回数の設定入力、およびメモリ４６に記憶された選択情報の切り替えを可能にする旨の信号を計測制御手段４３および表示制御手段４４に出力する。
【００９０】
表示制御手段４４は、入力制御手段４２からの信号を入力すると、前記第１実施形態で説明したリピート回数を設定する際の制御動作と同様に、リピート回数表示部３３および報知手段状態表示部３１Ｈを点滅させる。
上述した状態において、利用者によりSPLIT・RESETボタン２２が押下されることにより、図９の「SPLIT/RESETボタン」列に示すように、リピート回数を設定する制御動作が実施される。
SPLIT・RESETボタン２２の押下に応じて、SPLIT・RESETボタン２２から操作信号が入力制御手段４２に出力される。
入力制御手段４２は、SPLIT・RESETボタン２２から出力される操作信号の数に応じて、リピート回数を増加させる旨の信号を、メモリ４６に出力する。メモリ４６は、入力制御手段４２からの信号を入力する毎に、記憶したリピート回数情報を、リピート回数を増加させるように更新する。
なお、表示制御手段４４による表示制御は、前記第１実施形態で説明したマルチタイマモード時でのリピート回数を設定させる際の制御動作における表示制御と同様である。
また、SPLIT・RESETボタン２２の押下によりリピート回数が９回を超えた場合には１に戻るように構成されている。
【００９１】
また、利用者によりSTART・STOPボタン２１が押下されることにより、図９の「START/STOPボタン」列に示すように、報知手段５の選択情報を切り替える制御動作が実施される。
なお、この制御動作は、START・STOPボタン２１の押下に応じて選択情報が切り替えられる点以外は、前記第１実施形態で説明した報知手段５の選択情報を切り替える制御動作と同様であるため、説明を省略する。
さらに、上述した状態で、利用者によりCOUNT UP DOWNボタン２３が再度押下されることにより、図９の「COUNT UP/DOWNボタン」列に示すように、上述したタイマ４１Ａにて計測させるタイマ時間の設定入力が可能な状態に戻る。
【００９２】
そして、図８および図９の「COUNT UP/DOWNボタン 長押し」列に示すように、利用者によりCOUNT UP DOWNボタン２３が所定時間（１〜２秒間）、継続して押下されることにより、以下に示すように、マルチタイマモード時でのタイマ時間およびリピート回数の設定入力が可能な設定モードが終了する。
COUNT UP DOWNボタン２３の押下時間に応じて、COUNT UP DOWNボタン２３から押下時間に応じた操作信号が入力制御手段４２に出力される。
入力制御手段４２は、COUNT UP DOWNボタン２３から出力される上述した操作信号を再度入力すると、タイマ時間およびリピート回数の設定入力が可能な設定モードを終了する旨の信号を計測制御手段４３および表示制御手段４４に出力する。
そして、表示制御手段４４は、ロータリースイッチ２３の回動位置２３Ａが「1」、「2」、「3」、「5」、「10」、「15」、「20」、「25」、「30」、「35」、「40」、「45」、「60」に位置付けられている場合には、前記第１実施形態で説明したシングルタイマモード時での表示動作と同様の表示動作を実施する。
また、表示制御手段４４は、ロータリースイッチ２３の回動位置２３Ａが「＊」に位置付けられている場合には、前記第１実施形態で説明したマルチタイマモード時でのタイマ時間の計測を実施する際の制御動作での表示動作と同様の表示動作を実施する。
【００９３】
〔第３実施形態の効果〕
上述した第３実施形態によれば、上記（１）〜（１０）と同様の効果の他、以下の効果がある。
（１２）ロータリースイッチ２３は、マルチタイマモード時でのタイマ時間を設定入力するための回転スイッチとしての機能を有するので、ロータリースイッチ２３を所定の位置に回動することで、予めメモリ４６に記憶した所定の時間にタイマ時間を設定できる。したがって、第１実施形態で説明したSTART・STOPボタン２１またはSPLIT・RESETボタン２２を操作することによりタイマ時間を設定する構成と比較して、タイマ時間の設定入力作業を容易に実施でき、タイマ装置１の利便性の向上がさらに図れる。
【００９４】
（１３）マルチタイマモード時において、ロータリースイッチ２３がタイマ時間およびリピート回数を設定入力するための回転スイッチとしての機能を有するので、前記第１実施形態で説明した回動位置２３Ａの「＊SET」および「REP.SET」を省略し、他の回動位置として設定できる。したがって、本実施形態で説明したように、「25」および「35」を追加することで、シングルタイマモード時での計測可能なタイマ時間を増加でき、タイマ装置１の利便性の向上がさらに一層図れる。
【００９５】
〔実施形態の変形〕
以上、本発明について好適な実施形態を挙げて説明したが、本発明は、これらの実施形態に限定されるものではなく、本発明の要旨を逸脱しない範囲において種々の改良並びに設計の変更が可能である。
前記各実施形態では、状態情報表示部３２には、現時点でタイマ時間の計測を実施しているタイマに対応する表示部が点滅し、各タイマ時間の計測を予定する各表示部を点灯させていたが、この表示形式に限らない。上述した点滅表示および点灯表示を逆にする構成を採用してもよい。
【００９６】
また、少なくとも、タイマ時間の計測を実施しているタイマ、およびタイマ時間の計測を実施していないタイマを判別可能に表示すればよく、各タイマ時間の計測を予定するタイマを判別可能に表示しなくても本発明の目的を十分に達成できる。すなわち、各タイマ時間の計測を予定する各表示部を点灯させずに、現時点でタイマ時間の計測を実施しているタイマに対応する表示部のみを点滅させる構成であってもよい。
【００９７】
前記各実施形態では、状態情報および計測予定情報として、８つの表示部３２Ａ〜３２Ｈにおける８つのタイマ４１Ａ〜４１Ｈの駆動順序に対応した番号が付与されたマークを採用したが、これに限らない。例えば、番号に限らず、その他アルファベット等の記号や所定のマーク等を採用してもよい。
【００９８】
前記各実施形態において、８つの表示部３２Ａ〜３２Ｈを点灯または点滅表示する構成に限らず、例えば、以下の構成を採用してもよい。
例えば、タイマ装置に、機械的に動作する指針と、複数のタイマの駆動順序に対応して整列配置する複数の番号等の文字が記載された文字盤とを設ける。そして、前記指針を駆動制御し、現時点でタイマ時間の計測を実施しているタイマに対応する前記文字位置に指針を移動させる。このような構成でも、利用者は、指針の位置から現時点でどのタイマ時間が計測されているのかを認識できる。
また、例えば、状態情報表示部３２を８つの表示部３２Ａ〜３２Ｈで構成せずに、デジタル表示可能な１つのデジタル表示部で構成する。そして、前記デジタル表示部に、現時点でタイマ時間の計測を実施しているタイマに対応した番号等の文字を表示させる。また、前記デジタル表示部に、各タイマ時間の計測を予定する各タイマに対応した番号等の文字を表示させる。具体的に、例えば、タイマが８つ設けられ、現時点でタイマ時間の計測を実施しているタイマに対応した番号が「４」であり、各タイマ時間の計測を予定する各タイマに対応した番号が「１」、「２」、「３」、「４」である場合には、前記デジタル表示部に、「４，１〜４」を表示する。このような構成でも、利用者は、前記デジタル表示部の表示から、現時点でどのタイマ時間が計測されているのかを認識できるとともに、計測させる各タイマ時間の予定数を認識できる。
【００９９】
前記各実施形態では、各タイマ４１Ａ〜４１Ｈの駆動順序が、タイマ４１Ａ〜４１Ｈの順（以下、正順序と呼称する）に設定され、これに対応して表示部３２Ａ〜３２Ｈにて点滅表示される番号が１〜８の順（以下、正順序と呼称する）に設定されていたが、これに限らない。
例えば、逆にタイマ４１Ｈ〜４１Ａの順（以下、逆順序と呼称する）に駆動順序を設定し、これに対応して表示部３２Ａ〜３２Ｈにて点滅表示する番号を８〜１の順（以下、逆順序と呼称する）に設定しても構わない。
また、例えば、設定入力手段２の入力操作により、正順序および逆順序の双方を切り替え可能に構成してもよい。この際、状態情報表示部３２を以下に示すように構成してもよい。
【０１００】
図１０は、前記各実施形態における状態情報表示部３２の変形例を示す図である。
状態情報表示部３２は、図１０に示すように、表示部３２Ａ〜３２Ｈの他、正順序を示す表示部３２１と、逆順序を示す表示部３２２を有する。そして、例えば、設定入力手段２の入力操作により、正順序に切り替えられた場合には、表示制御手段４４による制御の下、表示部３２１が点灯表示する。また、逆順序に切り替えられた場合には、表示制御手段４４による制御の下、表示部３２２が点灯表示する。このような構成では、正順序および逆順序を切り替え可能とすることで、利用者の要求に応じた各タイマ時間の計測が実施でき、タイマ装置１の利便性の向上が図れる。また、正順序または逆順序を示す表示をすることで、現在どの順序で各タイマ時間が計測されているのかを利用者に認識させることができる。
【０１０１】
さらに、例えば、各タイマ時間をランダムに計測させる構成を採用してもよい。例えば、利用者による設定入力手段２の入力操作により、メモリ４６に記憶された各タイマ時間情報がランダムに選択される。そして、タイマ４１Ａ〜４１Ｈのうち、選択されたタイマ時間情報に関連付けられたタイマに、前記タイマ時間情報に基づくタイマ時間を計測させる。また、この際、表示部３２Ａ〜３２Ｈのうち、タイマ時間の計測を実施しているタイマに対応する表示部を点滅させる。
【０１０２】
前記各実施形態では、計測手段４１が８つのタイマ４１Ａ〜４１Ｈにて構成され、状態情報表示部３２がタイマ４１Ａ〜４１Ｈに対応して８つの表示部３２Ａ〜３２Ｈにて構成されていたが、これに限らない。計測手段４１は２つ以上のタイマにて構成し、状態情報表示部３２を前記２つ以上のタイマに対応して複数の表示部にて構成してもよい。
また、前記各実施形態では、リピート回数の設定範囲が１〜９の範囲に設定され、リピート回数表示部３３の表示範囲もこれに対応して９まで表示可能に構成されていたが、これに限らない、リピート回数を９を超える範囲に設定し、リピート回数表示部３３の表示範囲もこれに対応して９を超える範囲まで表示可能に構成してもよい。
図１１は、前記各実施形態における状態情報表示部３２およびリピート回数表示部３３の変形例の一例を示す図である。
計測手段４１を１０個のタイマにて構成し、図１１に示すように、状態情報表示部３２を１０個の表示部３２Ａ〜３２Ｊで構成してもよい。また、図１１に示すように、リピート回数を１〜９９の範囲に設定し、リピート回数表示部３３の表示範囲も１〜９９の範囲まで表示可能に構成してもよい。
【０１０３】
前記各実施形態において、表示手段３の構成は、前記各実施形態で説明した構成に限らない。例えば、状態情報表示部３２の表示部３２Ａ〜３２Ｈは、円環状に整列配置されていたが、これに限らない。直線状、ジグザグ状、円弧状、三角の枠状、矩形の枠状、あるいは、ハートの枠状に整列配置された構成を採用してもよい。
【０１０４】
前記各実施形態では、表示制御手段４４は、計測制御手段４３によりリピート制御が実施されている際、サイクルが終了する毎に、リピート回数表示部３３に表示させる数字を減らすように制御していたが、これに限らない。例えば、サイクルが終了する毎に、終了したサイクルの回数をリピート回数表示部３３に表示させる制御を実施するように構成してもよい。このような構成では、設定されたリピート回数のうち、現時点で何回目のサイクルが実施されているかを利用者に認識させることができる。
【０１０５】
前記各実施形態では、タイマ装置１はマルチタイマモード、シングルタイマモード、およびストップウォッチモードの各種モードを有している構成を説明したが、少なくともマルチタイマモードを有していればよい。
【図面の簡単な説明】
【０１０６】
【図１】第１実施形態におけるタイマ装置を正面から見た図。
【図２】前記実施形態におけるタイマ装置の制御構造を模式的に示すブロック図。
【図３】前記実施形態におけるタイマ装置の操作方法を説明するための図。
【図４】前記実施形態におけるマルチタイマモード時での表示手段の表示状態の一例を示す図。
【図５】前記実施形態におけるシングルタイマモード時での表示手段の表示状態の一例を示す図。
【図６】第２実施形態におけるマルチタイマモード時での表示手段の表示状態の一例を示す図。
【図７】第３実施形態におけるタイマ装置の操作方法を説明するための図。
【図８】前記実施形態におけるマルチタイマモード時でのタイマ時間を設定する操作方法を説明するための図。
【図９】前記実施形態におけるマルチタイマモード時でのリピート回数を設定する操作方法を説明するための図。
【図１０】前記各実施形態における状態情報表示部の変形例を示す図。
【図１１】前記各実施形態における状態情報表示部およびリピート回数表示部の変形例の一例を示す図。
【符号の説明】
【０１０７】
１・・・タイマ装置、２・・・設定入力手段、３・・・表示手段、２３・・・ロータリースイッチ、２３Ａ・・・回動位置、３１・・・計測時間表示部、３２・・・状態情報表示部、３３・・・リピート回数表示部、４１・・・計測手段、４３・・・計測制御手段、４４・・・表示制御手段、４６・・・メモリ（記憶手段）。
【図１】
2005326279.tif 000003
【図２】
2005326279.tif 000004
【図３】
2005326279.tif 000005
【図４】
2005326279.tif 000006
【図５】
2005326279.tif 000007
【図６】
2005326279.tif 000008
【図７】
2005326279.tif 000009
【図８】
2005326279.tif 000010
【図９】
2005326279.tif 000011
【図１０】
2005326279.tif 000012
【図１１】
2005326279.tif 000013